(57)【要約】【課題】  乾式目地材の上方への抜け外れの確実な防止と目地への乾式目地材のスムーズな圧入による良好な施工性とを同時に得ることのできる目地構造を提供する。【解決手段】  目地３の上方開口を塞ぐ覆い部５から目地３内に差し込む縦片部６を垂設してなる１対の第１目地材４ａと第２目地材４ｂとを各縦片部６ａ，６ｂの下端同士を連結させて浴室壁面側に第１目地材４ａを浴槽端縁側に第２目地材４ｂを重ねて配置すると共に、第１目地材４ａの縦片部６ａの上下長さを第２目地材４ｂの縦片部６ｂに比べて長くして乾式目地材４を形成する。第１目地材４ａの覆い部５ａを第２目地材４ｂの覆い部５ｂに上方から圧接させたときに第１目地材４ａの縦片部６ａが第２目地材４ｂの縦片部６ｂを内側にして丸め込むように屈曲して爪部７を形成する。爪部７を浴槽端縁２から下方に突設したリム部８に下方から係合する。【選択図】        図１
2005211167.tif 000002
【特許請求の範囲】
【請求項１】
浴室壁面と浴槽端縁との間の目地に上方から乾式目地材を圧入し、浴室壁面と浴槽端縁との間に水密構造を形成させる目地構造において、目地の上方開口を塞ぐ覆い部から目地内に差し込む縦片部を垂設してなる１対の第１目地材と第２目地材とを各縦片部の下端同士を連結させて浴室壁面側に第１目地材を浴槽端縁側に第２目地材を重ねて配置すると共に、第１目地材の縦片部の上下長さを第２目地材の縦片部に比べて長くして乾式目地材を形成し、第１目地材の覆い部を第２目地材の覆い部に上方から圧接させたときに第１目地材の縦片部が第２目地材の縦片部を内側にして丸め込むように屈曲して形成される爪部を、浴槽端縁から下方に突設したリム部に下方から係合したことを特徴とする目地構造。
【請求項２】
少なくとも一方の縦片部の浴槽端縁側の面に、浴室壁面側に向けて凹没させた折曲溝を水平方向に形成したことを特徴とする請求項１記載の目地構造。
【請求項３】
第２目地材の縦片部の浴槽端縁側の面及び第１目地材の縦片部の浴室壁面側の面にそれぞれ浴槽端縁及び浴室壁面に弾接させるひれ片を形成し、第１目地材の覆い部を第２目地材の覆い部に上方から圧接させたときに互いに係合する凹凸形状の係合部を各目地材の対向面に形成したことを特徴とする請求項１記載の目地構造。
【請求項４】
乾式目地材の長手方向に亙って覆い部を形成すると共に、乾式目地材の長手方向に所定間隔を隔てて各縦片部を重ねて形成したことを特徴とする請求項１記載の目地構造。
【発明の詳細な説明】
【技術分野】
【０００１】
本発明は、浴室壁面と浴槽端縁との間の目地に上方から乾式目地材を圧入し、浴室壁面と浴槽端縁との間に水密構造を形成させる目地構造に関するものである。
【背景技術】
【０００２】
従来から、浴室壁面と浴槽端縁との間の目地には目地材を配設して浴室壁面と浴槽端縁との間に水密構造を形成させることが行われている。この目地材として湿式の目地材を用いると養生などに時間を有したり仕上りにムラが出来たりして施工性が悪いことから、近年では主に乾式目地材が用いられている。なお、乾式目地材としてはたとえば図８のようなものが知られている（たとえば、特許文献１，２参照）。この乾式目地材４は、目地の上方開口を塞ぐ覆い部５から目地３内に差し込む縦片部６を垂設し、浴槽端縁２から下方に突設したリム部８に下方から廻り込ませて係合させる爪部７を上記縦片部６の先端に形成したものである。そして、この乾式目地材４は、覆い部５を浴槽端縁２の上面に弾接させると共に爪部７をリム部８に廻り込ませて係合させることで得られる強い係合力と、接着テープ１７によって、あらかじめ浴槽端縁２に取付けるものであり、浴槽を浴室壁面１に近接させて覆い部５の浴室側端部を浴室壁面１に弾接させることで、浴室壁面１と浴槽端縁２との間の目地３に水密性を備えさせている。しかしながら、上記あらかじめ浴槽端縁２に取付けておく乾式目地材４では、乾式目地材４が浴室壁面１に弾接することで生じる浴室壁面１からの弾接反力に抗って重量のある浴槽を動かして所定位置に設置させねばならなく、つまり浴槽の移動に強い力が必要となることから、良好な施工性を備えるものではない。
【０００３】
しかして、施工性の観点によると、浴室壁面１と浴槽端縁２との間の目地３に水密性を備えるには、たとえば図９のような、浴槽を所定位置に設置させた後に、浴室壁面１と浴槽端縁２との間の目地３に圧入させる乾式目地材４が好ましい（たとえば、特許文献３参照）。詳しくは、この乾式目地材４は、浴室壁面１と浴槽端縁２との間の目地３の上方開口を塞ぐ覆い部５から目地３内に差し込む縦片部６を垂設し、浴槽端縁２から下方に突設したリム部８に下方から係止させる爪部７を上記縦片部６の先端に浴槽側に一体に突出させて形成したものである。ここで、上記爪部７は、目地３に配設した乾式目地材４が上方に抜け外れてしまうことを防止しようとするものであるが、この目地３からの乾式目地材４の上方への抜け外れの確実な防止を図って、爪部７における縦片部６からの浴槽方向への突出量を大きく形成すると、縦片部６を目地内に差し込む際に爪部７が目地３の両側の目地壁（浴室壁面１と浴槽端縁２）に引掛かり、目地３への乾式目地材４の圧入に支障をきたして施工性が悪化してしまうのである。つまり、爪部７を縦片部６に一体に形成した乾式目地材４では、乾式目地材４の上方への抜け外れの確実な防止と目地３への乾式目地材４のスムーズな圧入による良好な施工性とを同時に得ることはできないものであった。
【特許文献１】特開平１１−３３６２０８号公報
【特許文献２】特開２００１−３４９号公報
【特許文献３】特開２００２−２９１６４２号公報
【発明の開示】
【発明が解決しようとする課題】
【０００４】
本発明は上記の従来の問題点に鑑みて発明したものであって、乾式目地材の上方への抜け外れの確実な防止と目地への乾式目地材のスムーズな圧入による良好な施工性とを同時に得ることのできる目地構造を提供することを課題とするものである。
【課題を解決するための手段】
【０００５】
上記課題を解決するために本発明の請求項１に係る目地構造は、浴室壁面１と浴槽端縁２との間の目地３に上方から乾式目地材４を圧入し、浴室壁面１と浴槽端縁２との間に水密構造を形成させる目地構造において、目地３の上方開口を塞ぐ覆い部５から目地３内に差し込む縦片部６を垂設してなる１対の第１目地材４ａと第２目地材４ｂとを各縦片部６ａ，６ｂの下端同士を連結させて浴室壁面側に第１目地材４ａを浴槽端縁側に第２目地材４ｂを重ねて配置すると共に、第１目地材４ａの縦片部６ａの上下長さを第２目地材４ｂの縦片部６ｂに比べて長くして乾式目地材４を形成し、第１目地材４ａの覆い部５ａを第２目地材４ｂの覆い部５ｂに上方から圧接させたときに第１目地材４ａの縦片部６ａが第２目地材４ｂの縦片部６ｂを内側にして丸め込むように屈曲して形成される爪部７を、浴槽端縁２から下方に突設したリム部８に下方から係合したことを特徴とする。
【０００６】
これによると、浴槽のリム部８に係合させる爪部７は乾式目地材４の目地３への挿入後にはじめて形成されるものであるから、爪部７を形成させていない状態で乾式目地材４の縦片部６を目地３内に差し込むことができるのであって、乾式目地材４の目地３への圧入にかかる良好な施工性を確保できると共に、爪部７における縦片部６からの突出量は目地幅にかかわらず大きく形成できて目地３からの乾式目地材４の上方への抜け外れを確実に防止することができる。つまり、乾式目地材４の上方への抜け外れの確実な防止と目地３への乾式目地材４のスムーズな圧入による良好な施工性とを同時に得ることができるのである。
【０００７】
また、請求項２に係る目地構造は、請求項１において、少なくとも一方の縦片部６の浴槽端縁側の面１３に、浴室壁面側に向けて凹没させた折曲溝９を水平方向に形成したことを特徴とする。これによると、折曲溝９によって縦片部６の折曲方向を浴槽端縁側のみに規制することができて爪部７による乾式目地材４の上方への抜け外れを確保でき、また折曲溝９の配設位置によっては爪部７をリム部８に下方から廻り込ませるような形状に施すことができて爪部７のリム部８への係合強度の向上、つまり乾式目地材４の上方への抜け外れ防止の向上を図ることができる。
【０００８】
また、請求項３に係る目地構造は、請求項１において、第２目地材４ｂの縦片部６ｂの浴槽端縁側の面１３及び第１目地材４ａの縦片部６ａの浴室壁面側の面１４にそれぞれ浴槽端縁２及び浴室壁面１に弾接させるひれ片１０を形成し、第１目地材４ａの覆い部５ａを第２目地材４ｂの覆い部５ｂに上方から圧接させたときに互いに係合する凹凸形状の係合部１１を各目地材４ａ，４ｂの対向面に形成したことを特徴とする。これによると、目地３の両側の目地壁（浴室壁面１及び浴槽端縁２）に弾接したひれ片１０によって乾式目地材４による目地３の水密性を向上できると共に、目地３の両側の目地壁（浴室壁面１及び浴槽端縁２）に弾接したひれ片１０による弾接反力によって各目地材４ａ，４ｂの係合部１１同士を強固に係合させ、爪部７の形状維持を図って乾式目地材４の上方への抜け外れ防止の向上を図ることができる。
【０００９】
また、請求項４に係る目地構造は、請求項１において、乾式目地材４の長手方向に亙って各覆い部５ａ，５ｂを形成すると共に、乾式目地材４の長手方向に所定間隔を隔てて各縦片部６ａ，６ｂを重ねて形成したことを特徴とする。これによると、乾式目地材４の目地３への圧入作業は、第１目地材４ａの覆い部５ａを第２目地材４ｂの覆い部５ｂに押圧する作業を乾式目地材４の長手方向の所定間隔毎に行えばよく、乾式目地材４の全長に亙って第１目地材４ａの覆い部５ａを第２目地材４ｂの覆い部５ｂに押圧することに比べ、乾式目地材４の目地３への圧入作業の容易化を図ることができる。
【発明の効果】
【００１０】
本発明は、乾式目地材の上方への抜け外れの確実な防止と、目地への乾式目地材のスムーズな圧入による良好な施工性とを同時に得ることができるといった効果を有している。
【発明を実施するための最良の形態】
【００１１】
本発明は、浴室壁面１と浴槽端縁２との間の目地３に上方から乾式目地材４を圧入し、浴室壁面１と浴槽端縁２との間に水密構造を形成させる目地構造に関し、乾式目地材４の上方への抜け外れの確実な防止と目地３への乾式目地材４のスムーズな圧入による良好な施工性とを同時に可能にするべく、特に乾式目地材４の構成に特徴を有した目地構造である。
【００１２】
図１〜５には本発明の実施の形態の例を示す。本例の乾式目地材４は、図２のように、目地３の上方開口を塞ぐ覆い部５から目地３内に差し込む縦片部６を垂設してなる１対の第１目地材４ａと第２目地材４ｂと有し、第１目地材４ａの縦片部６ａの上下長さを第２目地材４ｂの縦片部６ｂに比べて長く形成し、各目地材４ａ，４ｂの縦片部６の下端同士を連結させて各縦片部６ａ，６ｂを重ねて配置して形成されている。詳しくは、浴室壁面１と浴槽端縁２との間の目地３は水平方向に伸びる溝状部位であるから、この目地３に圧入される乾式目地材４は目地３の溝長さ方向に長い全体形状を有している。また、目地３の上方開口を塞ぐ覆い部５は目地３の幅よりも大きな幅寸法を有すると共に、乾式目地材４の全長に亙って形成された略水平な板状の部位である。また、縦片部６は乾式目地材４の長手方向に沿って覆い部５の幅方向の中央付近から垂設される略垂直な片状の部位であるが、乾式目地材４の長手方向に対して所定間隔を隔てた位置に並べて形成されている。換言すると、縦片部６は間に所定間隔の切込み部１６を有して乾式目地材４の長手方向に並設されている。なお、この乾式目地材４は樹脂成形品であり、覆い部５や後述するひれ片１０は軟質部材にて、縦片部６は硬質部材にてそれぞれ構成されている。
【００１３】
ところで、この乾式目地材４を目地３に圧入した際には、図１のように、第１目地材４ａは浴室壁面側に、第２目地材４ｂは浴槽端縁側にそれぞれ位置させた状態で行われる。つまり、第１目地材４ａと第２目地材４ｂとは目地３の幅方向に重ねて配置されている。なお、本例の乾式目地材４では、第２目地材４ｂの覆い部５ｂには上下貫通する貫通スリット１２が穿設されており、この貫通スリット１２に第１目地材４ａの縦片部６ａを挿通させた状態で第１目地材４ａと第２目地材４ｂとが重ねて配置されている。ここで、第１目地材４ａと第２目地材４ｂとが重ねて配置された状態では、第１目地材４ａの縦片部６ａが第２目地材４ｂの縦片部６ｂよりも上下長さが長く形成されていることから、第１目地材４ａの覆い部５ａは第２目地材４ｂの覆い部５ｂの上方位置に位置しており、また、第１目地材４ａの縦片部６ａにおける浴槽端縁側の面１３と、第２目地材４ｂの縦片部６ｂにおける浴室壁面側の面１４（及び貫通スリット１２の内周面）とが対向した状態とされている。
【００１４】
そして、この各目地材４ａ，４ｂの対向面には上下に位置をずらして凹凸形状に施した係合部１１がそれぞれ形成されている。ここで、各目地材４ａ，４ｂの係合部１１における上下方向の位置ずれ寸法は各目地材４ａ，４ｂの覆い部５の上下方向の位置ずれ寸法に等しく、第１目地材４ａを第２目地材４ｂに対して下方にずらして第１目地材４ａの覆い部５ａを第２目地材４ｂの覆い部５ｂに上方から圧接させたときには、各目地材４ａ，４ｂの係合部１１が互いに係合するようにされている。なお、本例の乾式目地材４では、係合部１１は一の目地材４ａ（４ｂ）に対して上下の２ヵ所に設けられており、詳しくは、下側の係合部１１ａは第１目地材４ａ及び第２目地材４ｂの各縦片部６ａ，６ｂにそれぞれ設けられており（図２）、上側の係合部１１ｂは第１目地材４ａの縦片部６ａと第２目地材４ｂの貫通スリット１２の内周面とにそれぞれ設けられている（図５）。
【００１５】
また、対向しない第１目地材４ａの縦片部６ａの浴室壁面側の面１４と第２目地材４ｂの縦片部６ｂの浴槽端縁側の面１３には、ひれ片１０がそれぞれ形成されている。第１目地材４ａに形成したひれ片１０は浴室壁面１に弾接させて第１目地材４ａと浴室壁面１との間に水密性を備えさせるものであり、第２目地材４ｂに形成したひれ片１０は浴槽端縁２に弾接させて第２目地材４ｂと浴槽端縁２との間に水密性を備えさせるものである。なお、目地３への縦片部６の挿入をスムーズに行わせるため、各ひれ片１０はそれぞれ各縦片部６ａ，６ｂから斜め上方に向けて突設されている。また詳しくは、各縦片部６ａ，６ｂのひれ片１０は下側の係合部１１ａに対応した高さ位置、つまり下側の係合部１１ａの裏面位置にそれぞれ設けられている。
【００１６】
ところで、この乾式目地材４にあっては、下端で連結した第１目地材４ａの縦片部６ａと第２目地材４ｂの縦片部６ｂとの上下長さ寸法の違いから、第１目地材４ａを第２目地材４ｂに対して下方にずらして第１目地材４ａの覆い部５ａを第２目地材４ｂの覆い部５ｂに上方から圧接させたときには、第１目地材４ａの縦片部６ａが第２目地材４ｂの縦片部６ｂを内側にして丸め込むようにして浴槽端縁側に屈曲するようになっている。詳しくは、本例の乾式目地材４では、第２目地材４ｂの縦片部６ｂにおける浴槽端縁側の面１３に浴室壁面側に向けて凹没させた折曲溝９が水平方向に形成されており、第１目地材４ａを第２目地材４ｂに対して下方にずらして第１目地材４ａの覆い部５ａを第２目地材４ｂの覆い部５ｂに上方から圧接させたときには、折曲溝９の位置で第２目地材４ｂの縦片部６ｂが浴槽端縁側に屈曲するようにされている。なお、第１目地材４ａの縦片部６ａは上記第２目地材４ｂの縦片部６ｂの浴槽端縁側への屈曲に従って浴槽端縁側に屈曲するようになっている。つまり、本例の乾式目地材４では各縦片部６ａ，６ｂには浴槽端縁側にのみ折れ曲がるような曲げ規制が施されているのである。そして、この縦片部６の浴槽端縁側に屈曲した部位は、浴槽端縁２から下方に突設したリム部８に下方から係合させる爪部７を形成する。つまり、この乾式目地材４は、第１目地材４ａを第２目地材４ｂに対して下方にずらして第１目地材４ａの覆い部５ａを第２目地材４ｂの覆い部５ｂに上方から圧接させたときに、浴槽端縁２から下方に突設したリム部８に下方から係合させる爪部７が縦片部６から浴槽端縁側に突出するように形成されるようになっているのである。
【００１７】
上記構成の本例の乾式目地材４は、浴室壁面１と浴槽端縁２との間の目地３に圧入し、この目地３に水密構造を備えさせるものであるが、これは具体的に以下のようにして行われる。まず、図３のように、第１目地材４ａ及び第２目地材４ｂの各縦片部６ａ，６ｂを略垂直な片形状に維持した状態で目地３内に上方から差し込み、矢印Ａのように第２目地材４ｂの覆い部５ｂを目地３の上方開口縁（浴室壁面１と浴槽端縁２の上面）に上方から弾接させる。ここで、重ねて配置した各縦片部６ａ，６ｂはそれぞれ略垂直な片形状でその下端同士が連結されているから全体形状が下方に尖るような形状にされており、また縦片部６に突設したひれ片１０は縦片部６から斜め上方に突出されているので、縦片部６の目地３内への差し込みはスムーズに、つまり施工性良く行われるようにされている。なお、上記のように目地３に乾式目地材４を配設した状態では、目地３の上方開口縁に弾接した第２目地材４ｂの覆い部５ｂや、目地３の両側の目地壁（浴室壁面１及び浴槽端縁２）に弾接したひれ片１０によって、目地３に水密構造が形成される。
【００１８】
次に、図４の矢印Ｂのように、第１目地材４ａを第２目地材４ｂに対して下方にずらして第１目地材４ａの覆い部５ａを第２目地材４ｂの覆い部５ｂに上方から圧接させることで、各縦片部６ａ，６ｂの下部を屈曲させて爪部７を形成し、この爪部７を浴槽端縁２のリム部８に下方から係合させ、乾式目地材４の上方への抜け外れの防止が図られる。ここで、第１目地材４ａを第２目地材４ｂに対して下方にずらして第１目地材４ａの覆い部５ａを第２目地材４ｂの覆い部５ｂに上方から圧接させたときには、各縦片部６ａ，６ｂの各係合部１１同士が係合して爪部７が形成された状態で各縦片部６ａ，６ｂが一体化されるようになっている。殊に、下側の各係合部１１ａ同士の係合は目地３の両側の目地壁（浴室壁面１及び浴槽端縁２）に弾接したひれ片１０による弾接反力によって強固に行われている。つまり、各係合部１１同士の係合によると、爪部７の形状維持がなされて爪部７と浴槽端縁２のリム部８との係合強度の確保がなされるのである。更に言うと、浴槽のリム部８に係合させる爪部７は乾式目地材４の目地３への挿入後にはじめて形成されるものであるから、従来のように縦片部６を目地３内に差し込む際に爪部７が目地３の両側の目地壁（浴室壁面１と浴槽端縁２）の間に引掛かるといったことはなく、つまり目地幅（両目地壁の間の寸法）にかかわらず、目地３からの乾式目地材４の上方への抜け外れの確実な防止を図って、爪部７における縦片部６からの浴槽方向への突出量を大きく形成することができるのである。なお、本例の第１目地材４ａの覆い部５ａは第２目地材４ｂの覆い部５ｂよりも大きく形成されており、第１目地材４ａの覆い部５ａを第２目地材４ｂの覆い部５ｂに圧接させると、第１目地材４ａの覆い部５ａが第２目地材４ｂの覆い部５ｂの全体に被さると共に目地３の上方開口縁に弾接されるようになり、目地３の水密性の向上が図られている。
【００１９】
上述したように本例の乾式目地材４にあっては、浴槽端縁２のリム部８に係合させる爪部７が乾式目地材４の目地３への挿入後にはじめて形成される構成のものであるから、爪部７を形成させていない状態で乾式目地材４の縦片部６を目地３内に差し込めるのであって、目地３への乾式目地材４のスムーズな圧入による良好な施工性が確保されると共に、この良好な施工性を崩さずに爪部７における縦片部６からの突出量を目地幅にかかわらず大きく形成できるのであって、目地３からの乾式目地材４の上方への抜け外れを確実に防止することが可能にされている。つまり、本例の乾式目地材４を浴室壁面１と浴槽端縁２との目地３に圧入してこの目地３に水密構造を形成させた目地構造にあっては、乾式目地材４の上方への抜け外れの確実な防止と、目地３への乾式目地材４のスムーズな圧入による良好な施工性とを同時に得ることができたものである。
【００２０】
更に言うと、本例の乾式目地材４にあって、縦片部６を屈曲して形成される爪部７は、浴槽端縁２の下方に突設したリム部８を下方から包み込むようにして、左右方向にもずれないようにリム部８と強固に係合されている。詳しくは、第１目地材４ａの縦片部６ａにおける浴槽端縁側の面１３と爪部７とで上方に開口するコ字溝状の係合溝１５が形成され、この係合溝１５に矩形断面を有するリム部８の下端部分が嵌合されている。つまり、縦片部６の屈曲位置となる折曲溝９の配設位置に工夫を施してあり、上記所定形状の爪部７を形成させているのである。具体的に、本例の折曲溝９は縦片部６の上下位置に２つ配設されており、上側の折曲溝９はリム部８の下端の外側の角部８ａに対応する縦片部６の位置に配設されており、下側の折曲溝９はリム部８の下端の内側の角部８ｂに対応する縦片部６の位置に配設されている。これによって、縦片部６の屈曲位置をリム部８の角部８ａ，８ｂに合わせて爪部７によってリム部８を包み込ませることが可能にされ、爪部７とリム部８との左右にずれない強固な係合が可能にされているのである。なお、折曲溝９は少なくとも一の縦片部６に設けることで各縦片部６ａ，６ｂに浴槽端縁側にのみ屈曲する曲げ規制を施すことができるが、上記のように爪部７を浴槽端縁２のリム部８に合致する形状に施すために、浴槽端縁側に位置して爪部７の屈曲内側部分を構成する第２目地材４ｂの縦片部６ｂに折曲溝９を形成するのが好ましい。
【００２１】
また、本例の乾式目地材４によると、乾式目地材４の長手方向に所定間隔を隔てて各縦片部６ａ，６ｂが形成されているので、上述した乾式目地材４の目地３への圧入作業は、第１目地材４ａの覆い部５ａを第２目地材４ｂの覆い部５ｂに押圧する作業を乾式目地材４の長手方向の所定間隔毎に行えばよいものであり、乾式目地材４の全長に亙って第１目地材４ａの覆い部５ａを第２目地材４ｂの覆い部５ｂに押圧することに比べて、乾式目地材４の目地３への圧入作業の容易化が図られているのである。
【００２２】
また、特に図示はしないが、係合部１１の凹凸形状に工夫を施してもよい。たとえば、第１目地材４ａの係合部１１の凸部上面と第２目地材４ｂの係合部１１の凸部下面とをそれぞれ略水平面状に形成すれば、係合部１１同士の係合状態において第２目地材４ｂの略水平端面の凸部下面に第１目地材４ａの略水平端面の凸部上面を下方から当接させることができ、第２目地材４ｂに対する第１目地材４ａの上方へのずれ防止を図ることができる。また、第１目地材４ａの係合部１１の凸部下面を斜め下方に面する傾斜面状に形成すると共に第２目地材４ｂの係合部１１の凸部上面を斜め上方に面する傾斜面状に形成すれば、第２目地材４ｂに対する第１目地材４ａの下方へのスライドを比較的スムーズに行わせることができる。
【００２３】
また、図６には本発明の実施の形態の他例を示す。この例の乾式目地材４は、折曲溝９を第１目地材４ａ及び第２目地材４ｂの各縦片部６ａ，６ｂにそれぞれ設け、第１目地材４ａを第２目地材４ｂに対して下方にずらして第１目地材４ａの覆い部５ａを第２目地材４ｂの覆い部５ｂに上方から圧接させたときに、第１目地材４ａ及び第２目地材４ｂの各縦片部６ａ，６ｂが各々の折曲溝９で屈曲するようにしている。この例の乾式目地材４では、先例の乾式目地材４に比べて、第１目地材４ａの縦片部６ａでも所定の折曲が可能にされ、爪部７の所定形状の形成に資することができる。更に言うと、本例の乾式目地材４では、第１目地材４ａの縦片部６ａと第２目地材４ｂの縦片部６ｂとが屈曲する際に互いに干渉しないように、第２目地材４ｂの折曲溝９ｂの形成位置が第１目地材４ａの折曲溝９ａの形成位置よりも高い位置に設定されており、第２目地材４ｂが第１目地材４ａの内側で確実に折れ曲がるように曲げ規制が施されている。
【００２４】
また、図７には本発明の実施の形態の他例を示す。この例の乾式目地材４は、先例の第２目地材４ｂの覆い部５ｂに穿孔した貫通スリット１２に第１目地材４ａの縦片部６ａを挿通させる代わりに、第２目地材４ｂの覆い部５ｂの浴室壁面側の端面を第１目地材４ａの縦片部６ａに沿わせて配置し、第１目地材４ａの覆い部５ａを第２目地材４ｂの覆い部５ｂに上方から圧接させたときに、対向する第２目地材４ｂの覆い部５ｂの浴室壁面側の端面と第１目地材４ａの縦片部６ａにおける浴槽端縁側の面１３とに設けた係合部１１同士を係合させたものである。つまり、本例の乾式目地材４では、第２目地材４ｂの覆い部５ｂの貫通スリット１２に第１目地材４ａの縦片部６ａを挿通させるといった複雑な構造が回避され、製造の簡略化が図られているのである。なお、第１目地材４ａの縦片部６ａに設けた係合部１１の裏側には浴室壁面１に弾接されるひれ片１０が形成されている。このひれ片１０によると、浴室壁面１に弾接されない第２目地材４ｂの覆い部５ｂの代わりに浴室壁面１と乾式目地材４との間の水密性を確保できると共に、第２目地材４ｂの覆い部５ｂと第１目地材４ａの縦片部６ａとの係合部１１同士の係合を弾性反力にて強固に行わせることができるのである。
【図面の簡単な説明】
【００２５】
【図１】本発明の実施の形態の例の断面斜視図である。
【図２】同上の乾式目地材の斜視図である。
【図３】同上の乾式目地材の目地への圧入を説明する側面図である。
【図４】同上の乾式目地材の目地への圧入を説明する側面図である。
【図５】同上の乾式目地材の要部の断面図である。
【図６】本発明の実施の形態の他例の乾式目地材の側面図である。
【図７】本発明の実施の形態の更に他例の乾式目地材の要部の側面図である。
【図８】従来技術の例の側面断面図である。
【図９】従来技術の他例の側面断面図である。
【符号の説明】
【００２６】
１  浴室壁面
２  浴槽端縁
３  目地
４  乾式目地材
４ａ  第１目地材
４ｂ  第２目地材
５  覆い部
６  縦片部
７  爪部
８  リム部
９  折曲溝
１０  ひれ片
１１  係合部
【図１】
2005211167.tif 000003
【図２】
2005211167.tif 000004
【図３】
2005211167.tif 000005
【図４】
2005211167.tif 000006
【図５】
2005211167.tif 000007
【図６】
2005211167.tif 000008
【図７】
2005211167.tif 000009
【図８】
2005211167.tif 000010
【図９】
2005211167.tif 000011